(57)【要約】      （修正有）【課題】ずれや振動を吸収しコンタクトの接点摺動を抑制しうるコネクタ構造の提供。【解決手段】プラグコンタクトを保持するプラグハウジングがリセプタクルコンタクトを保持するリセプタクルハウジング３０の上面から沈むように嵌合する基板対基板コネクタ構造において、リセプタクルハウジング３０は、内側に収容空間を有するベースハウジング２０と、収容空間に収容され、嵌合時プラグハウジングと嵌合するフロート部２００とを備え、フロート部２００は、横壁２７０の底面２７０ａに支持部２７００を備え、ベースハウジング２０は、支持部２７００に対応する位置に受け部２５００を備え、フロート部２００がベースハウジング２０に収容されたとき、支持部と受け部が当接し、フロート部２００が当接点を支点とするシーソー状態で保持される。【選択図】図９
2019079684.tif 000002
【特許請求の範囲】
【請求項１】
プラグコンタクトを保持するプラグハウジングがリセプタクルコンタクトを保持するリセプタクルハウジングの上面から沈むように嵌合する基板対基板コネクタ構造において、
リセプタクルハウジングは、内側に収容空間を有するベースハウジングと、前記収容空間に収容され、嵌合時前記プラグハウジングと嵌合するフロート部とを備え、
前記フロート部は、長手方向中央部の下面に下方に向かって突出する支持部を備え、
前記ベースハウジングは、前記支持部に対応する位置に受け部を備え、
前記フロート部が前記ベースハウジングの収容空間に収容されたとき、前記支持部と前記受け部とが当接し、前記フロート部が前記当接する当接点を支点とするシーソー状態で保持されるところに特徴を有するコネクタ構造。
【請求項２】
前記支持部は、幅方向に離間して一対備わるところに特徴を有する請求項１記載のコネクタ構造。
【請求項３】
前記支持部は、前記受け部に接する先端が半円状であるところに特徴を有する請求項１又は２記載のコネクタ構造。
【請求項４】
前記受け部は、前記支持部に接する面が平坦面であるところに特徴を有する請求項１から３の内一項記載のコネクタ構造。
【発明の詳細な説明】
【技術分野】
【０００１】
本発明は、回路基板と回路基板とを接続する基板対基板コネクタ構造に関するものである。
【０００２】
この分野の技術として、特許文献１記載の技術が知られている。コンタクトにフローティング機構を設けて、回路基板間のずれを吸収している。
【先行技術文献】
【特許文献】
【０００３】
【特許文献１】特開２０１４−１６５０６６号公報
【発明の概要】
【発明が解決しようとする課題】
【０００４】
しかし、上述した技術によれば、嵌合時の位置ずれを想定したものではなく、ねじ止め時の位置ずれを想定したものであり、また、フローティング部（コンタクトの湾曲部）のずれ吸収量が少ないため、大きなずれが生じたときには対応が困難である。また仮に、大きなずれが吸収できたとしても、位置ずれ吸収による大きな応力が、フローティング部（コンタクトの湾曲部）に作用している状態で、回路基板に振動が生じたときには、接点摺動あるいは、フローティング部（コンタクトの湾曲部）が破断する恐れがある。
【０００５】
本発明は、上述した問題に鑑みてなされたものであり、平行位置にある一対の回路基板間に大きな位置ずれが生じたとき、あるいは環境条件により回路基板に振動が生じたときであっても、このようなずれや振動を吸収しうるコネクタ構造の提供を目的とする。
【課題を解決するための手段】
【０００６】
本発明のコネクタ構造は、（１）プラグコンタクトを保持するプラグハウジングがリセプタクルコンタクトを保持するリセプタクルハウジングの上面から沈むように嵌合する基板対基板コネクタ構造において、リセプタクルハウジングは、内側に収容空間を有するベースハウジングと、前記収容空間に収容され、嵌合時前記プラグハウジングと嵌合するフロート部とを備え、前記フロート部は、長手方向中央部下面に下方に向かって突出する支持部を備え、前記ベースハウジングは、前記支持部に対応する位置に受け部を備え、前記フロート部が前記ベースハウジングの収容空間に収容されたとき、前記支持部と前記受け部とが当接し、前記フロート部が前記当接する当接点を支点とするシーソー状態で保持されるところに特徴を有するものである。
【０００７】
この発明によれば、対応するプラグコネクタと、嵌合するリセプタクルコネクタのフロート部とが、支持部を支点にしてベースハウジングの受け部に対してシーソー状態で保持されるので、平行位置にある一対の回路基板間に大きな位置ずれが生じたとき、あるいは環境条件により回路基板に振動が生じたときであっても、このようなずれや振動を吸収しうるコネクタ構造が得られる。
【０００８】
好ましくは本発明のコネクタ構造は、（２）前記支持部は、幅方向に離間して一対備わるところに特徴を有する（１）記載のものである。
【０００９】
好ましくは本発明のコネクタ構造は、（３）前記支持部は、前記受け部に接する先端が半円状であるところに特徴を有する（１）又は（２）記載のものである。
【００１０】
この発明によれば、先端が半円状であるので、スムーズなシーソー移動が行える。
【００１１】
好ましくは本発明のコネクタ構造は、（４）前記受け部は、前記支持部に接する面が平坦面であるところに特徴を有する（１）から（３）の内一項記載のものである。支持部が受け部の面上をすべり移動可能である。
【図面の簡単な説明】
【００１２】
【図１】図１は本発明の実施形態に係るコネクタ構造のプラグコネクタとレセプタクルコネクタとが嵌合開始位置にある状態を示す外観斜視図である。
【図２】図２は同コネクタ構造のプラグコネクタとレセプタクルコネクタとの嵌合状態を示す外観斜視図である。
【図３】図３は同コネクタ構造に係るプラグコンタクトの外観斜視図である。
【図４】図４は同コネクタ構造に係るプラグコンタクトの平面図であって、（１）は静止状態、（２）は嵌合状態である。
【図５】図５は同コネクタ構造に係るプラグコンタクトのプラグハウジングに対する圧入状態を示す要部断面図である。
【図６】図６は同コネクタ構造に係るレセプタクルコンタクトの外観図である。
【図７】図７は同コネクタ構造に係るレセプタクルコンタクトのレセプタクルハウジングに対する圧入状態を示す、（１）は要部拡大図、（２）は透視図である。
【図８】図８は同コネクタ構造に係るプラグコンタクトと、レセプタクルコンタクトとの嵌合過程の要部断面図である。
【図９】図９は同コネクタ構造に係るフロート部と、ハウジング部との要部拡大図である。
【図１０】図１０は同コネクタ構造に係るプラグコネクタと、リセプタクルコネクタとの嵌合開始状態を示す要部断面図である。
【図１１】図１１は同コネクタ構造に係るプラグコネクタと、リセプタクルコネクタとが長手方向の位置ずれと傾きが生じている状態での嵌合時のずれ吸収、及び傾き吸収を示す要部断面図である。
【図１２】図１２は同コネクタ構造に係るプラグコネクタと、リセプタクルコネクタとが平面上の回転ずれが生じている状態での嵌合時のずれ吸収を示す要部断面図である。
【図１３】図１３は同コネクタ構造に係るプラグコンタクトと、レセプタクルコンタクトとのずれ吸収機構を示す断面図である。
【発明を実施するための形態】
【００１３】
本発明の実施形態を添付図面に基づいて説明するが、本発明の技術的範囲はこれらの実施形態によって限定されるものではなく、発明の要旨を逸脱しない範囲で実施することができる。図１は本発明の実施形態に係るコネクタ構造のプラグコネクタと、レセプタクルコネクタとが嵌合開始位置にある状態を示す外観斜視図である。図２は同コネクタ構造のプラグコネクタと、レセプタクルコネクタとの嵌合状態を示す外観斜視図である。図３は同コネクタ構造に係るプラグコンタクトの外観斜視図である。図４は同コネクタ構造に係るプラグコンタクトの平面図であって、（１）は静止状態、（２）は嵌合状態である。図５は同コネクタ構造に係るレセプタクルコンタクトのレセプタクルハウジングに対する圧入状態を示す要部断面図である。図６は同コネクタ構造に係るレセプタクルコンタクトの外観図である。図７は同コネクタ構造に係るレセプタクルコンタクトのレセプタクルハウジングに対する圧入状態を示す、（１）は要部拡大図、（２）は透視図である。図８は同コネクタ構造に係るプラグコンタクトとレセプタクルコンタクトとの嵌合過程の要部断面図である。図９は同コネクタ構造に係るフロート部と、ハウジング部との要部拡大図である。図１０は同コネクタ構造に係るプラグコネクタと、リセプタクルコネクタとの嵌合開始状態を示す要部断面図である。図１１は同コネクタ構造に係るプラグコネクタと、リセプタクルコネクタとが長手方向の位置ずれと傾きが生じている状態での嵌合時のずれ吸収
及び傾き吸収を示す要部断面図である。図１２は同コネクタ構造に係るプラグコネクタと、リセプタクルコネクタとが平面上の回転ずれが生じている状態での嵌合時のずれ吸収を示す要部断面図である。図１３は同コネクタ構造に係るプラグコンタクトと、レセプタクルコンタクトとのずれ吸収機構を示す断面図である。
なお、説明中の指示方向は原則対象図面に示す方向定義にしたがう。
【００１４】
＜コネクタ構造概説＞
平行位置にある２枚の回路基板Ｂ１、Ｂ２を接続するためのプラグコネクタ１と、リセプタクルコネクタ３と、からなるコネクタ構造が図１、図２に示されている。プラグコネクタ１、リセプタクルコネクタ３ともに、左右側壁１３、２２の下面から外方向に回路基板Ｂ１、Ｂ２に接続するコンタクト接続部１４０、３４０が延びている。プラグコネクタ１は、リセプタクルコネクタ３の上面からその全体を沈めるように嵌合し、２枚の回路基板Ｂ１、Ｂ２間の所定回路を接続する。
【００１５】
プラグコネクタ１は、図１に示されるように、箱状のプラグハウジング１０にプラグコンタクト１００を２列に亘り等間隔に収容する。プラグハウジング１０は、合成樹脂の射出成形により得られ、プラグコンタクト１００は導電性の圧延金属板の塑性加工によって得られる。
【００１６】
リセプタクルコネクタ３は、図１に示されるように、二重の入れ子構造からなり、リセプタクルハウジング３０と、比較的大きな板状の接触部を有するリセプタクルコンタクト３００とを備える。リセプタクルハウジング３０は、回路基板Ｂ２に取り付くベースハウジング２０と、その内側に浮いた状態にある、フロート部２００とからなる。ともに合成樹脂の射出成形により得られる。また、リセプタクルコンタクト３００は、導電性の圧延金属板の塑性加工により得られる。
【００１７】
＜プラグハウジング＞
プラグハウジング１０は、図１に示されるように、前後方向に延びる底壁１２、この底壁１２の前後端に端壁１４、１４、左右端に側壁１３、１３を備える。底壁１２は、左右側壁１３、１３、前後端壁１４、１４で周囲が囲まれ、中央部に窪地を有する。側壁１３は、端壁１４に比べて厚みを有し、内部にプラグコンタクト１００を収容する、収容室を備える。収容室は、左右側壁に等間隔に長手方向に沿って備わる。端壁は平坦な板状である。
【００１８】
プラグハウジング１０は、図１に示されるように、窪地の中央部に底壁１２の表面から真上に延びる柱状の位置決めポスト１１を有する。位置決めポスト１１は、嵌合時、相手方コネクタ（リセプタクルコネクタ３）の位置決めガイド２５０と作用し、両コネクタ１、３の正規嵌合位置を割り出す。位置決めポスト１１と、位置決めガイド２５０とは、その機能に応じる、先端部にテーパー面を備えている。
【００１９】
位置決めポスト１１は、図１に示されるように、前後方向に板厚を有する板状で、対応する位置決めガイド２５０は、この板状の位置決めポスト１１を表裏面から挟持する一対の板片を有する溝である。位置決めガイド２５０は、位置決めポスト１１に比べて幅方向（左右方向）の寸法が大きく、このために、正規規嵌合位置からのずれが幅方向（左右方向）に生じていても、プラグコネクタ１はリセプタクルコネクタ３に収容可能である。すなわち、相対的にずれた状態でも嵌合が許容される。
【００２０】
プラグハウジング１０は、図１に示されるように、側壁１３の内部に狭ピッチで前後方向に沿って配置されるプラグコンタクト１００を収容し、回路基板Ｂ１と接続する接続部１４０は底壁１２の下面で等間隔に延び、相手方コンタクト（リセプタクルコンタクト３
００）と接続する接触部は、全体が側壁で覆われる。
【００２１】
プラグハウジング１０は、図１に示されるように、回路基板Ｂ１との接続が補強されるように、ハウジングの所定の位置に補強金具を備えていてもよい。これにより、プラグコンタクト１００と同時に補強金具の実装もおこなえる。
【００２２】
＜プラグコンタクト＞
プラグコンタクト１００は、図３に示されるように、一対のコンタクト片１１０、１００からなる。一対のコンタクト片１１０、１１０は、１８０度湾曲する連結部１３６で連なり、互いに内側面を相手方に向けて正対する。一対のコンタクト片１１０、１１０間には距離が設けられている。これにより、コンタクト片１１０の付勢力が強化される。
【００２３】
コンタクト片１１０は、図３に示されるように、左右方向に比べて上下方向に長く延び、矩形状の圧入部１２０の上辺から上方に接触部１３０が連なる。接触部１３０の下端側縁からは、一対のコンタクト片１１０、１１０を繋ぐように連結部１３６が備わる。また圧入部１２０の下辺からは、途中外方向へ屈曲する姿勢で接続部１４０が延びている。
【００２４】
一方のコンタクト片１１０の圧入部１２０、接触部１３０は、図３に示されるように、略同じ平面上にあり、他方のコンタクト片１１０は、これと平行して延びる接触部１３０を備えている。双方の接触部１３０、１３０は、図３に示されるように、山形に屈曲する先端部１３３を備え、山形の頂部に接点１３５を備えている。嵌合時、接点１３５は、相手方コンタクト（リセプタクルコンタクト３００）に接続し、付勢力を作用させる。
【００２５】
接触部１３０は、図３に示されるように、基端部から先端部にいくにしたがって幅寸法は段階的に狭くなる。基端部は略圧入部と同じ幅寸法を有し、先端部はその１／４程度の寸法まで減少する。接触部１３０は、基端部を支点にして弾性変形し、嵌合時、相手方コンタクト３００に付勢力を与える。
【００２６】
接触部１３０の先端部１３３は、図３に示されるように、互いに対面する内側に山形の頂部が張り出し、対面姿勢で衝突を避けるため、互いに幅寸法分前後方向にずらした位置に配置されている。これにより、山形は比較的大きな角度で前方へ張り出し、その頂部は相手方頂部と衝突するほどの勢いではあるが、先端部１３３は互いにオフセット位置にあるため、静的状態、或いは弾性変形状態ともに、互いに干渉は生じない。
【００２７】
すなわち、一対のコンタクト片１１０、１１０は、図４に示されるように、接触部１３０は、略全体が互いに鏡面対称に写る形状で、先端部１３３が互いに干渉を避ける位置にあるので、弾性変形方向と直交する方向から静的状態のコンタクト１００を見たとき、先端部１３３は、互いに重なり合う、いわゆるオーバーラップの位置にある。
【００２８】
一対のコンタクト片１１０、１１０からなるプラグコンタクト１００は、図４の（１）に示されるように、先端部１３３は、静的状態でオーバーラップ姿勢にあり、嵌合時、相手方コンタクト３００が一対の先端部１３３、１３３に挟持されたとき、一対の先端部１３３、１３３の接点１３５、１３５は、図４の（２）に示されるように、相手方コンタクト３００の厚み分だけ離間した状態である。弾性片の付勢力は変形量に比例するので、オーバーラップ状態からの挟持は、オーバーラップ状態のない場合に比べて、大きな付勢力が得られる。
【００２９】
このように、オーバーラップ姿勢により、薄い板厚の材料が使用でき、幅寸法も小型化が可能になり、これにより装置の小型化か望める。また、相手方コンタクト３００の挟持状態でのコンタクト幅寸法の最小化も図られるので、端子配列の狭ピッチ化にも寄与する
。
【００３０】
＜プラグ取り付け＞
プラグコンタクト１００は、図５に示されるように、プラグハウジング１０の収容室１８に収容される。収容室１８は、プラグハウジング１０の底壁１２の左右端部から左右側壁１３にかけて、内部に形成されている。収容室１８は、プラグコンタクト１００の圧入部１２０を係止するための被圧入部１９、１９を下端寄りに備え、弾性変形可能な接触部１３０を収容する部分を上端寄りに備えている。
【００３１】
側壁１３は、図５に示されるように、上下方向にスリット１７が刻まれ、柱状の保護部１６が前後方向に等間隔で形成されている。隣接する一対の保護部１６、１６の内部に、一対のコンタクト片１１０、１１０が収容され、嵌合時、スリット１７を通して挿入された図示しない相手方コンタクトと接続する。すなわち、隣接する一方の保護部１６には、一方のコンタクト片１１０が収容され、他方の保護部１６には、他方のコンタクト片１１０が収容される。
【００３２】
プラグコンタクト１００は、図５に示されるように、プラグハウジング１０の下面から収容室１８に圧入され、圧入終了位置で圧入部１２０は被圧入部１９、１９に係止する。この位置で、接触部１３０は保護部１６の内部にある。このとき、一対のコンタクト片１１０、１１０は一体的に圧入され、一つの収容室１８に収容されている。接触部１３０は、収容室１８内で内壁に干渉することなく、所定範囲内で弾性変形可能である。一対の接触部１３０、１３０は、スリット１７で隔たれた一対の保護部１６、１６に各片が収容され、スリット１７は概ね接触部１３０の全長を満たす程度の深さを有し、嵌合時、図示しない相手方コンタクトは概ねスリット１７の底部近くまで挿入される。
【００３３】
接触部１３０は、図５に示されるように、保護部１６で全体が覆われるので、不用意な接触による変形破損から免れる。また、前後方向に等間隔で配置されたプラグコンタクト１００は、隣接ずるコンタクト間も保護部１６で守られ、互いに干渉は生じない。
【００３４】
スリット１７は、図５に示されるように、一対のコンタクト片１１０、１１０を真二つに分ける位置に刻まれ、スリット１７上にプラグコンタクト先端部１３３のオーバーラップ構造が位置している。これにより、スリット１７入り口を通過した図示しない相手方コンタクトは、スムーズに先端部１３３、１３３の誘いに誘導され、嵌合終了位置まで挿入される。
【００３５】
オーバーラップ位置の先端部１３３は、嵌合時、図4に示されるように、相手方コンタクト３００に対して互いに挟持する向きに付勢力を作用させ、接点１３５で強い電気的機械的接続を得る。このとき、オフセット位置にある一対の接点１３５、１３５により、相手方コンタクト３００との間で回転モーメントが生じるが、等間隔で複数列に亘り配置されているので、互いに回転モーメントが打ち消され、コネクタ構造は全体的に安定的である。
【００３６】
＜リセプタクルハウジング＞
リセプタクルハウジング３０は、図１に示されるように、ベースハウジング２０と、フロート部２００とからなる入れ子構造で、フロート部２００は、リセプタクルコンタクト３００を介して繋がる、いわゆるフローティング構造である。フロート部２００は、ベースハウジング２０の中で前後、左右、及び上下方向に変位可能に緩やかに保持されている。また、左右方向を軸芯とする回転変位、或いは前後方向を軸芯とする回転変位も許容されている。
【００３７】
ベースハウジング２０、フロート部２００ともに非導電性の合成樹脂からなる射出成形品であり、ベースコンタクトは導電性金属から塑性加工で得られる。
【００３８】
ベースハウジング２０は、図１に示されるように、左右一対の側壁２２、２２と、この側壁２２を繋ぐ一対の端壁２１、２１とを備え、内側にフロート部２００を収容するための収容空間２４を有している。側壁２２は、基端部でコンタクトを保持するために必要な厚みを有し、ここより上方は比較的薄い平坦な板壁である。側壁２２上面も比較的薄い平坦な板壁で覆われ、前後方向に沿ってスリットが形成されている。スリットを通して内部に収容されているリセプタクルコンタクト３００の配列状況が観察できる。
【００３９】
端壁２１は、図１に示されるように、上方に開いたコの字状で両側壁２２、２２を平行位置に繋げる。端面は、端壁２１以外の部分は開口されている。また、ベースハウジング２０の下面は概ね開口され、上面はフロート部２００の挿入口で全面が開口されている。
【００４０】
収容空間２４は、図１に示されるように、平面視矩形状の窪地で、ここにフロート部２００の全体が沈むように嵌り込む。収容空間２４は、フロート部２００の外形寸法に比べて、上下、及び左右方向ともに大きく、且つベースハウジング２０の端面は開口されているので、収容空間２４に収容されたフロート部２００は、前後、左右、及び上下方向に変位可能である、また、左右方向、或いは前後方向を軸芯にして回転変位も可能である。
【００４１】
フロート部２００は、図１、図7に示されるように、前後方向に延びる箱体で、板壁状の左右側壁２２０、２２０、同じく板壁状の前後端壁２３０、２３０を備え、左右方向中央には、前後方向に延びる縦壁２６０を備え、前後方向中央には、左右方向に延びる横壁２７０を備える。縦壁２６０は、前後端で端壁に繋がり、横壁２７０は、左右端で側壁に■がる。
【００４２】
側壁２２０内面、縦壁２６０側面には、図7に示されるように、リセプタクルコンタクト３００の接触部３３０を保持するための保持溝２８０、２８０が備わる。縦壁２６０側面には、フロート圧入部３２２を圧入するための被圧入部２９０が備わる。側壁２２０と縦壁２６０とは、横桟２１０で繋がり、強度、剛性が確保されている。
【００４３】
＜リセプタクルコンタクト＞
リセプタクルコンタクト３００は、図６に示されるように、細く長くＳ字状にカーブする保持部３２０、保持部３２０の前端に連なる接続部３４０、及び保持部３２０の後端に連なる接触部３３０からなる。
【００４４】
保持部３２０は、図６に示されるように、比較的小さな湾曲部と、比較的大きな湾曲部とが連続する、略Ｓ字状である。小さな湾曲部の端部には、ベースハウジングに取り付くベース圧入部３２１が備わり、大きな湾曲部の端部には、フロート部に取り付くフロート圧入部３２２が備わる。ベース圧入部３２１と、フロート圧入部３２２とは、保持部３２０の最も離れた両端部に位置するので、その間は実質的に長い距離が確保されている。図示しない回路基板に伝わる振動は、長い距離が確保されている、このＳ字部分に吸収されるので、コネクタ構造全体として良好な振動吸収効果が得られる。また、両圧入部３２１、３２２ともにその前後に比べて幅寸法が若干大きくとられ圧入保持されやすい形状を備えている。
【００４５】
保持部３２０の端部に連なる接続部３４０は、図６に示されるように、９０度外向きに屈曲する。接続部３４０は、その下面で図示しない回路基板の所定ランドに半田接続される。図示しない回路基板の振動は接続部３４０を通して伝わるが、Ｓ字部分で振動は吸収されるので、コンタクトの接点部分の摺動が抑制されたコネクタ構造が得られる。
【００４６】
接触部３３０は、図示しない相手方コンタクトに接続する部分であって、図６に示されるように、上下、及び左右方向に広がる板状である。
【００４７】
接触部３３０は、図7に示されるように、フロート部２００に若干の隙間を設けて等間隔に並ぶ。
【００４８】
＜リセ取り付け＞
リセプタクルコンタクト３００は、図７に示されるように、ベースハウジング２０と、フロート部２００との双方に架けて組み付けられる。フロート部２００は、接触部３３０全体を保持するとともに、保持部３２０の一部、フロート圧入部３２２を保持し、一方ベースハウジング２０は、保持部３２０の一部、ベース圧入部３２１を保持する。Ｓ字状に延びる保持部３２０は、フロート圧入部３２２と、ベース圧入部３２１との間で、ベースハウジング２０、及びフロート部２００のどちらにも干渉することはなく、許容範囲内で、上下、左右、及び前後方向に変位可能である。これにより、ベースハウジング２０に対するフロート部２００のフローティング構造が得られる。
【００４９】
リセプタクルコンタクト３００は、図７に示されるように、リセプタクルハウジング３０の下面から圧入される。
【００５０】
リセプタクルコンタクト３００の接触部３３０は、図7に示されるように、フロート部２００に下面から組み付けられる。保持部３２０のフロート圧入部３２２は、縦壁２６０の側面に形成された溝状の被圧入部２９０に圧入され、圧入と同時に、接触部３３０は両側縁を側壁２２０内面、及び縦壁２６０側面の凹状の保持溝２８０、２８０に入れた状態で保持される。圧入終了位置まで圧入されたとき、接触部３３０はフロート部２００の正規組み付け位置に組み付けられる。
【００５１】
リセプタクルコンタクト３００の接触部３３０がすべて組み付けられた状態のフロート部２００は、図7に示されるように、ベースハウジング２０に下面から組み付けられる。保持部３２０のベース圧入部３２１は、ベースハウジング２０の側壁２２下面に形成されたスリット状の被圧入部２３に圧入され、圧入終了位置まで圧入されたとき、リセプタクルコンタクト３００は正規圧入位置にあり、同時にフロート部２００は正規組み付け位置にある。
【００５２】
フロート部２００は、図1、図7に示されるように、収容空間２４に組み付けられたとき、Ｓ字状に延びる保持部３２０でベースハウジング２０から浮いた状態に保持される。フロート部２００は、両側壁２２０、２２０にリセプタクルコンタクト３００を複数列配置するので、ベースハウジング２０の中の収容空間２４で浮いた状態のフロート部２００が構成される。
【００５３】
＜嵌合＞
プラグコネクタ１と、リセプタクルコネクタ３との嵌合は、図８に示されるように、上面から水平姿勢でおこなわれる。プラグハウジング１０の位置決めポスト１１をリセプタクルハウジング３０の位置決めガイド２５０の位置に合わせる。この位置でプラグコンタクト１００は、対応するリセプタクルコンタクト３００に嵌合する位置にある。リセプタクルコンタクト３００の接触部３３０は、図8に示されるように、図示しないスリットを通してプラグコンタクト１００の図示しない接触部に当接し、図示しない接触部の一対の先端部は間口を広げ、相手方接触部３３０を挟持する姿勢を準備する。
【００５４】
長手方向、幅方向の初期の嵌め込みをおこない、図8に示されるように、水平姿勢を保
った状態で嵌合終了位置まで挿入する。押し切り位置で嵌合終了姿勢である。この姿勢で、プラグコネクタ１は、リセプタクルコネクタ３の上面からその全体を沈めるように嵌合し、２枚の図示しない回路基板間Ｂ１、Ｂ２の所定回路を接続する。リセプタクルコンタクト３００とプラグコンタクト１００とは、嵌合終了位置で接続する。
【００５５】
＜フロート部のシーソー構造＞
フロート部２５００のベースハウジング２０に対するシーソー構造を図面に従って説明する。図９は同コネクタ構造に係るフロート部と、ハウジング部との要部拡大図である。図１０は同コネクタ構造に係るプラグコネクタと、リセプタクルコネクタとの嵌合開始状態を示す要部断面図である。図１１は同コネクタ構造に係るプラグコネクタと、リセプタクルコネクタとが長手方向の位置ずれと傾きが生じている状態での嵌合時のずれ吸収及び傾き吸収を示す要部断面図である。図１２は同コネクタ構造に係るプラグコネクタと、リセプタクルコネクタとが平面上の回転ずれが生じている状態での嵌合時のずれ吸収を示す要部断面図である。
なお、説明中の指示方向は図面中の方向定義に原則従う。
【００５６】
フロート部２００は、図９に示されるように、横壁２７０の底面２７０ａに断面半円状の支持部２７００を一対備える。支持部２７００は、横壁２７０の底面２７０ａに離間して幅方向（左右方向）の両端部に備わる。横壁２７０は、フロート部２００の長手方向（前後方向）の中間部に左右側壁２２０、２２０を繋げるように備わる。横壁７０は、側壁２２０内面の下半分に接続し、底面２７０ａは、図９に示されるように、側壁２２０下端よりも下方に若干露出している。支持部２７００は、この露出する底面２７０ａに備わる。支持部２７００は、概ね断面半円状で対応する受け部２５００と、曲率を有する周面で接する。周面の曲率は、フロート部２００がベースハウジング２０に対して左右方向を回転軸として転がる方向に設けられている。
なお、支持部２７００は、断面半円状の他、目的に応じた形状を取りうる、たとえば頂点を下にする断面３角形状でもよい。
【００５７】
ベースハウジング２０は、図９に示されるように、前後方向の中間部に左右側壁２２、２２を繋げる中間壁２５を備える。中間壁２５は、側壁２２下方寄りの端部に備わる。中間壁２５は、側壁２２下端よりも比較的大きく下方に張り出している。中間壁２５は、側壁２２と協働して補強金具を支持する。
【００５８】
中間壁２５は、図９に示されるように、上面に平坦な受け部２５００を備える。受け部２５００は、面上に広がる平坦面であり、この面上で対応する支持部２７００を受ける。支持部２７００は、受け部２５００の面上で前後方向、及び左右方向の移動が許容されるとともに、左右方向を回転軸方向として面上を転がることが許容されている。
【００５９】
フロート部２００は、図９に示されるように、ベースハウジング２０に収容されるとき、支持部２７００と、受け部２５００との接点以外には、ベースハウジング２０に接触するところはない。左右側壁２２、及び２２０は、隙間を設けて夫々備わり、前後端壁２１、及び２３０に関しては、ベースハウジング２０の端壁２１、２１は、フロート部２００の端部の大きさ相当が刳り抜かれ、これにより干渉するところはない。また、フロート部２００と、ベースハウジング２０とは、リセプタクルコンタクト３００を介して接続されているが、Ｓ字状に大きく湾曲する保持部３２０によって前後、左右、及び上下方向の動きが許容されている。この３軸方向の動きは重畳的に許容されるので、左右方向を回転軸方向とする回転、或いは上下方向を回転軸方向とするいわゆる平面上の回転に対しても許容されている。
【００６０】
フロート部２００は、図９に示されるように、リセプタクルコンタクト３００によって
、緩やかにベースハウジング２０に保持され、支持部２７００を支点にするベースハウジング２０に対するシーソー構造が構築されている。また、支持部２７００は、受け部２５００に対して前後方向、左右方向への動きも許容されている。特に前後方向の動きは比較的大きく許容されている。
【００６１】
図１０は、嵌合開始時のフロート部２００と、ベースハウジング２０との姿勢を示す図であって、特にプラグハウジング１０の位置決めポスト１１、これに対応するリセプタクルハウジング３０の位置決めガイド２５０、及びフロート部２００の支持部２７００、これに対応するベースハウジング２０の受け部２５００の関係を示すものである。位置決めガイド２５０は、フロート部２００の縦壁２６０と、横壁２７０とが交差するフロート部２００の略中央位置に備わり、対応する位置決めポスト１１と、嵌合操作において最初に接するところである。位置決めポスト１１と、位置決めガイド２５０とは協働して、プラグコネクタ１と、リセプタクルコネクタ３とを相対的に正規嵌合開始位置に位置修正し、その位置からプラグコネクタ１は降下して最終的に正規嵌合位置へ収まる。支持部２７００は、位置決めガイド２５０の直下に位置し、位置決めポスト１１の延長線上に支持部２７００と、受け部２５００との接点がある。
【００６２】
図１１は、嵌合開始時、フロート部２００がベースハウジング２０に対して前後方向の位置ずれと、前後方向に沿う傾きが重畳している場合のずれと傾きの吸収を示す図である。位置決めポスト１１の尖端部と、位置決めガイド２５０間口のテーパー部とが協働して、ずれと、傾きとが生じているプラグコネクタ１と、リセプタクルコネクタ３とのずれた姿勢を正規嵌合姿勢に近づける。許容範囲内の両者のずれ、傾きはフロート部２００の前後、左右、上下各方向の位置追従性によりリセプタクルコネクタ３のずれた姿勢から正規嵌合姿勢への姿勢修正がおこなわれる。プラグコネクタ１は、このように姿勢修正がおこなわれたリセプタクルコネクタ３のフロート部２００に嵌合終了位置まで挿入される。このように、相対的なずれと傾きが生じているプラグコネクタ１と、リセプタクルコネクタ３とは、フロート部２００の３軸方向の位置追従性により正規嵌合状態が得られる。
【００６３】
ずれと、傾きとが生じているときの支持部２７００の動きに注目すると、ずれと傾きによる正規姿勢からのずれを打ち消す方向にフロート部２００は、図１１に示されるように、姿勢を変える。ずれを打ち消すように支持部２７００は、受け部２５００に対して後方側へ変位するとともに、前方が上向きに傾くずれを打ち消すように支持部２７００は、受け部２５００上で反時計方向に転がる。この転がりと、位置ずれとの重畳した動きが支持部２７００で生じ、結果フロート部２００の追従性が得られる。
【００６４】
図１２は、嵌合開始時、フロート部２００がベースハウジング２０に対して平面上で回転ずれが生じている場合の回転ずれ吸収を示す図である。フロート部２００は、一対の支持部２７００、２７００の中間位置を中心にしてベースハウジング２０に対して平面上で回転方向に追従性を有している。追従性はリセプタクルコンタクト３００のばね性を駆動力とする。
【００６５】
両者の嵌合開始時、位置決めポスト１１の尖端部は、位置決めガイド２５０の一対のガイド片の中にあり、一対のガイド片と、位置決めポスト１１との間には隙間が形成されている。一対のガイド片、位置決めポスト１１ともに幅方向に距離を有するものではあるが、生じている隙間は一対のガイド片の間で位置決めポスト１１の回転をある程度許容する大きさである。これにより、図１２に示されるように、相対的に平面上の回転ずれが生じているプラグコネクタ１は、位置決めポスト１１を位置決めガイド２５０に嵌め合わせることができ、挿入が一段進んだ段階で、ずれを打ち消す方向にフロート部２００の姿勢修正がおこなわれる。許容範囲内のずれを吸収する方向に姿勢修正がおこなわれたフロート部２００に対して、プラグコネクタ１は、さらに挿入が進んだ状態で嵌合終了姿勢に至る
。
【００６６】
平面上のずれを吸収するときの支持部２７００の動きに注目すると、平面上のずれを打ち消す方向にフロート部２００は、図１２に示されるように、姿勢を変える。すなわちフロート部２００は、平面上を一対の支持部２７００の中間位置を中心にして時計方向、或いは反時計方向に回転し、このとき支持部２７００は、受け部２５００上をすべり移動する。このすべり移動によってフロート部２００の回転追従性が得られる
【００６７】
＜効果、ずれ吸収＞
フロート部２００は、長手方向（前後方向）の中間位置にある一対の支持部２７００でシーソー状態で支持される。これにより、支持部２７００を中心に回転可能である。その結果、プラグコネクタ１のリセプタクルコネクタ３に対する嵌合開始時の回転方向の傾きに対して、傾きを打ち消す方向に変位してずれを吸収することができる。
【００６８】
一対の支持部２７００、２７００は、受け部２５００の面上を長手方向、幅方向に変位可能である。これにより、フロート部２００は、プラグコネクタ１のリセプタクルコネクタ３に対する嵌合開始時の長手方向、幅方向の位置ずれに対して、この位置ずれを打ち消す方向に変位して位置ずれを吸収することができる。
【００６９】
位置決めポスト１１の尖端部と、位置決めガイド２５０の間口のテーパー面とは協働して、相対的にずれた位置にあるコネクタ同士１、及び３を嵌合開始位置にあわせることができる。これにより、ずれた２枚の回路基板上のプラグコネクタ１と、リセプタクルコネクタ３とを嵌合させることができる。
【００７０】
支持部２７００の尖端部は、半円状で対応する受け部２５００は、平坦に広がる平面なので支持部２７００は、受け部２５００の面上で転がり、或いはすべり移動ができる。これにより、回転中心自体が平面上を動きうる支持部２７００を備えたシーソー構造が得られる。その結果、３次元的なずれに追従可能なフロート部が得られる。
【００７１】
＜効果、ずれ対応＞
プラグ回路基板Ｂ１がリセプタクル回路基板Ｂ２に対して傾いている場合、図１３に示されるように、所定の傾きの範囲内では傾いたままの姿勢でプラグコネクタ１と、リセプタクルコネクタ３とは嵌合可能である。
【００７２】
板状に広がるリセプタクルコンタクト３００の接触部３３０に対して、接点で接続するプラグコンタクト１００の接触部１３０は比較的小さく、正規に接続しうる範囲は中心点から同心円上に広がりを持つ。また、リセプタクルハウジング３０はフローティング構造を備えるので、回路基板Ｂ１、Ｂ２間の相対的な傾きは、比較的大きな範囲で許容され、プラグコネクタ１と、リセプタクルコネクタ３とは嵌合可能である。
【００７３】
プラグ回路基板Ｂ１がリセプタクル回路基板Ｂ２に対し左右方向にずれている場合、図９に示されるように、所定のずれの範囲内では、ずれたままの姿勢でプラグコネクタ１と、リセプタクルコネクタ３とは嵌合可能である。
【００７４】
リセプタクルコンタクト３００の接触部３３０に対するプラグコンタクト１００の接触部１３０は、正規接続範囲が左右方向に比較的大きい範囲を有しているので、相対的なずれを許容したまま嵌合可能である。
【００７５】
位置ずれと傾きが重畳するときでも、プラグコネクタ１と、リセプタクルコネクタ３とは、嵌合可能である。リセプタクルハウジング３０のフローティング構造は、傾きに対し
て追従し、複雑な変位に対応可能である。
【００７６】
＜効果、その他＞
１、回路基板Ｂ２の振動は接続部３４０を通して伝わるが、Ｓ字部分で振動は吸収されるので、コンタクトの接点部分の摺動が抑制されたコネクタ構造が得られる。
２、オーバーラップ姿勢により、薄い板厚の材料が使用でき、幅寸法も小型化が可能になり、これにより装置の小型化か望める。
３、相手方コンタクトの挟持状態でのコンタクト幅寸法の最小化も図られるので、端子配列の狭ピッチ化も望める。
【符号の説明】
【００７７】
１        プラグコネクタ
１０      プラグハウジング
１１      位置決めポスト
１２      底壁
１３      側壁
１４      端壁
１６      保護部
１７      スリット
１８      収容室
１９      被圧入部
１００    プラグコンタクト
１１０    コンタクト片
１２０    圧入部
１３０    接触部
１３３    先端部
１３５    接点
１３６    連結部
１４０    接続部
３        リセプタクルコネクタ
３０      リセプタクルハウジング
２０      ベースハウジング
２１      端壁
２２      側壁
２３      被圧入部
２４      収容空間
２００    フロート部
２１０    横桟
２２０    側壁
２３０    端壁
２４０    収容部
２５０    位置決めガイド
２６０    縦壁
２７０    横壁
２８０    保持溝
２９０    被圧入部
３００    リセプタクルコンタクト
３２０    保持部
３２１    ベース圧入部
３２２    フロート圧入部
３３０    接触部
３４０    接続部
Ｂ１      プラグコネクタ回路基板    
Ｂ２      リセプタクルコネクタ回路基板
２７０ａ    底面
２７００    支持部
２５        中間壁
２５００    受け部
【図１】
2019079684.tif 000003
【図２】
2019079684.tif 000004
【図３】
2019079684.tif 000005
【図４】
2019079684.tif 000006
【図５】
2019079684.tif 000007
【図６】
2019079684.tif 000008
【図７】
2019079684.tif 000009
【図８】
2019079684.tif 000010
【図９】
2019079684.tif 000011
【図１０】
2019079684.tif 000012
【図１１】
2019079684.tif 000013
【図１２】
2019079684.tif 000014
【図１３】
2019079684.tif 000015